(57)【要約】【課題】使用時に噴出のノズル部が乾燥空間の上端から下端に向かって一方向にのみのため、手の平と手の甲を交互に反転させなければならず、乾燥時間の短縮化が要望されていた。【解決手段】凹状に形成された乾燥室と、前記乾燥室内および前記乾燥室上方に形成された乾燥空間と、前記乾燥空間に向けて温風を噴出するノズル部と、前記ノズル部から噴出する空気を送出するファンモータとを備えた手乾燥装置であって、前記ファンモータを前記乾燥室の下方に設け、前記乾燥室の開口部の上方と手前に前記ノズル部を配置し、乾燥時間を短縮した手乾燥装置を提供する。【選択図】図１
2006263152.tif 000002
【特許請求の範囲】
【請求項１】
凹状に形成された乾燥室と、前記乾燥室内および前記乾燥室上方に形成された乾燥空間と、前記乾燥空間に向けて温風を噴出するノズル部と、前記ノズル部から噴出する空気を送出するファンモータとを備えた手乾燥装置であって、前記ファンモータを前記乾燥室の下方に設け、前記乾燥室の開口部の上方と手前に前記ノズル部を配置したことを特徴とする手乾燥装置。
【請求項２】
凹状に形成された乾燥室と、前記乾燥室内および前記乾燥室上方に形成された乾燥空間と、前記乾空間に向けて温風を噴出するノズル部と、前記ノズル部から噴出する空気を送出するファンモータとを備えた手乾燥装置であって、前記ファンモータを前記乾燥室の下方に設け、前記乾燥室の開口部の上方と縁面に前記ノズル部を配置したことを特徴とする手乾燥装置。
【請求項３】
前記ノズル部を複数の長孔または円孔によって構成したことを特徴とする請求項１と２に記載の手乾燥装置。
【請求項４】
前記乾燥室の手前側のノズルの噴き出し面と乾燥室の底面との間に水はねを防ぐ段差を設けた請求項1または２記載の手乾燥装置。
【請求項５】
前記ファンモータから前記乾燥室の上方へ設置されたノズル部へ空気を導く通風路を前記乾燥室の背面部に設け、前記乾燥室の手前側に設置されたノズルへ空気を導く通風路を前記乾燥室の前面に設けことを特徴とする請求項１に記載の手乾燥装置。
【発明の詳細な説明】
【技術分野】
【０００１】
本発明は、洗面所やトイレ等で手を洗った場合、濡れた手を乾燥させる手乾燥装置に関する。
【背景技術】
【０００２】
従来、この種の手乾燥装置としては、両面から空気を吹き出す空間に手を挿入して乾燥を行う手乾燥装置が知られている（例えば特許文献１参照）。
【０００３】
また、乾燥空間の上部にファンモータを備え、乾燥空間の上方から空気を吹き出す手乾燥装置が知られている（例えば特許文献２参照）。
【特許文献１】特開平０５−２９３０５５号公報
【特許文献２】特開平１０−９９２３５号公報
【発明の開示】
【発明が解決しようとする課題】
【０００４】
ここで、特許文献１に示される手乾燥装置にあっては、狭い空間に手を挿入しなければならないため、使用時に手が装置本体に触れてしまうという不快感を生じていた。更にこのタイプの手乾燥装置では、手を挿入するための十分な奥行きを確保する必要があり、狭い空間で深い奥行きも深いため不清潔感を生じ、手乾燥装置の側面に手が触れないように慎重に乾燥させるため、乾燥時間が長くなるという問題を有していた。
【０００５】
一方、特許文献２に示される手乾燥装置にあっては、乾燥空間が広く、清掃もおこないやすいため、清潔感は確保されていた。しかし、噴出のノズル部が乾燥空間の上端から下端に向かっての一方向にのみ吹出しているため、手の平と手の甲を交互に反転させなければならず、乾燥時間の短縮化が要望されていた。
【０００６】
そこで本発明は、使用時に装置本体に手が触れる不快感を無くした乾燥空間の広い空間で、吹出しノズルを多方面に配置して、乾燥時間の短縮化を図った手乾燥装置を提供するものである。
【課題を解決するための手段】
【０００７】
請求項１記載の本発明の手乾燥装置は、凹状に形成された乾燥室と、前記乾燥室内および前記乾燥室上方に形成された乾燥空間と、前記乾燥空間に向けて温風を噴出するノズル部と、前記ノズル部から噴出する空気を送出するファンモータとを備えた手乾燥装置であって、前記ファンモータを前記乾燥室の下方に設け、前記乾燥室の開口部の上方と手前に前記ノズル部を配置したことを特徴とする。
【０００８】
請求項２記載の本発明の手乾燥装置は、凹状に形成された乾燥室と、前記乾燥室内および前記乾燥室上方に形成された乾燥空間と、前記乾燥空間に向けて温風を噴出するノズル部と、前記ノズル部から噴出する空気を送出するファンモータとを備えた手乾燥装置であって、前記ファンモータを前記乾燥室の下方に設け、前記乾燥室の開口部の上方と縁面に前記ノズル部を配置したことを特徴とする。
【０００９】
請求項３記載の本発明は、請求項１と２に記載の手乾燥装置において、前記ノズル部を複数の長孔または円孔によって構成したことを特徴とする。
【００１０】
請求項４記載の本発明は、請求項１と２に記載の手乾燥装置において、前記乾燥室の手
前側のノズルの噴き出し面と乾燥室の底面との間に水はねを防ぐ段差を設けたことを特徴とする。
【００１１】
請求項５記載の本発明は、請求項１と２に記載の手乾燥装置において、前記ファンモータから前記乾燥室の上方へ設置されたノズル部へ空気を導く通風路を前記乾燥室の背面部に設け、前記乾燥室の手前側に設置されたノズルへ空気を導く通風路を前記乾燥室の前面に設けことを特徴とする。
【発明の効果】
【００１２】
本発明によれば、乾燥空間の上部と、下方にノズル部を設けた構成により、上部と縁面の多方向から風を吹き付けて、手の平又は手の甲に付着した水滴を全方向から一気に吹き飛ばし、乾燥時間の短縮をおこなうことができるため、快適な手乾燥装置を提供することが可能となる。
【００１３】
また、一度に手の全体に風圧を感じるため、乾燥感を高める効果も得ることができる。
【発明を実施するための最良の形態】
【００１４】
本発明の第１の実施の形態による手乾燥装置は、ファンモータを前記乾燥室の下方に設け、乾燥空間の上端部と、前記乾燥空間の下部に位置する乾燥室の開口部の前面にノズル部を配置したものである。これにより、手を挿入した場合に、手の甲の水滴は上部からの吹出しにより除去すると共に、手の平に対しては前面の配設したノズルから吹出して手の平の水滴を除去して、手の甲と平を同時に乾燥することができる。
【００１５】
本発明の第２の実施の形態による手乾燥装置は、ファンモータを乾燥室の下方に設け、乾燥空間の上端部と、前記乾燥空間の下部に位置する乾燥室の開口部の縁面にノズル部を配置したものである。これにより、手を挿入した場合に、手の甲の水滴は上部からの吹出しにより除去すると共に、手の平に対しては前面の配設したノズルから吹出して手の平の水滴を除去して、手の甲と平を同時に乾燥することができる。
【００１６】
本発明の第３の実施の形態は、第１と第２の実施の形態による手乾燥装置において、ノズル部を複数の長孔または複数の円孔によって構成したものである。これにより、手の平又は手の甲に均等に風圧を受けやすく、乾燥感を高めることができる。
【００１７】
本発明の第４の実施の形態は、第１と第２の実施の形態による手乾燥装置において、乾燥室の手前側のノズルの噴き出し面と乾燥室の底面との間に水はねを防ぐ段差を設けたものである。これにより、乾燥室に付着した水滴が壁面を駆け上がり乾燥室の外へ飛散したり、乾燥させた手に水滴が再び付着するのを防ぐことができる。
【００１８】
本発明の第５の実施の形態は、第１と第２の実施の形態による手乾燥装置において、ファンモータから乾燥室の上方へ設置されたノズル部へ空気を導く通風路を乾燥室の背面部に設け、乾燥室の手前側に設置されたノズルへ空気を導く通風路を乾燥室の前面に設けたものである。これにより、ファンモータからノズルへの送風がスムーズになり、乾燥室に設けたノズルの吹出し領域を広くとることができる。
【実施例】
【００１９】
（実施例１）
以下、本発明の一実施例による手乾燥装置について図面を用いて説明する。まず、図１から図３を用いて本実施例による手乾燥装置の外観形状について説明する。図１は本発明の一実施例による手乾燥装置の斜視図、図２は正面図、図３は側面図である。本実施例による手乾燥装置は、装置本体の上部に乾燥室１を形成している。乾燥室１は、背面側から
前面側に向かって下方に傾斜した外縁部２によって開口部３が形成され、外縁部２には外縁部ノズル４を設けている。この開口部３の下方に凹状の空間３０を形成している。凹状の空間３０は、排出口５を有する底面６と、奥の面７と、両側面８と、前面９によって構成されている。
【００２０】
乾燥室１の開口部３より上方には板状のノズルカバー１０が設けられ、開口部３、外縁部２およびノズルカバー１０との間に空間３１を形成している。凹状の空間３０と空間３１をあわせて手を挿入する乾燥空間を形成している。
【００２１】
次に、図４を用いて本実施例による手乾燥装置の内部構造について説明する。
【００２２】
図４は同装置の側断面図である。乾燥室１の下方には、ＤＣモータを用いたファンモータ１１が設けられ、ファンモータ１１の上方、すなわち乾燥室１の背面側には、ノズルカバー１０に連接されるノズルカバー側通風路１２が形成されている。また、乾燥室１の前面には外縁部ノズル４へ連接される外縁部ノズル側通風路１３が形成されている。また、これらの通風路の途中にはヒーター１４を設けている。
【００２３】
上記構成により、特に図４に示すように、空気導入通路１５から吸い込んだ空気は、ファンモータ１１、ノズルカバー側通風路１２を経由して、ノズルカバー１０に導かれ、また、外縁部ノズル側通風路１３を経由して、外縁部ノズル４に導かれる。
【００２４】
以上のように本実施例によれば、乾燥室１より下方に、ファンモータ１１、乾燥室１の開口部３より上方には、板状のノズルカバー１０以外は設けないことで、乾燥室１より上方空間を開放し、高い位置での装置本体による突出部を無くし、使用者に対する圧迫感が無く開放感のある空間を提供できる。
【００２５】
次に、図５用いて本実施例による手乾燥装置の上部に位置するノズルカバー吹き出し部６０について説明する。図５は同装置のノズルカバー１０の吹出し部であり、ノズルカバー吹き出し部６０は、ノズルカバー１０に配設されている。
【００２６】
ノズルカバー吹き出し部６０は複数の長孔によって構成され、長孔から噴出される風速は約９０ｍ／ｓから１２０ｍ／ｓ程度のジェット流である。
【００２７】
長孔６１Ａ及び長孔６１Ｂは、ノズルカバー１０の前面側の位置に、手挿入方向に対して垂直な方向に形成している。長孔６１Ａと長孔６１Ｂとは、所定間隔空けて直線上に設けている。なお、長孔６１Ａと長孔６１Ｂとは、直線上ではなく、背面側に広がった「ハの字」状に設けてもよい。ここで、長孔６１Ａ及び長孔６１Ｂは、第１のノズル部を構成する。
【００２８】
長孔６８Ａ及び長孔６９Ａは、長孔６１Ａよりも背面側の位置に形成している。長孔６８Ａ及び長孔６９Ａは、前面側端部よりも後方側端部をノズルカバー１０の中心側に配置して形成している。また、長孔６９Ａは、長孔６８Ａよりも更に背面側の位置に形成している。長孔６８Ａと長孔６９Ａとは、所定間隔空けて平行に設けている。
【００２９】
長孔６８Ｂ及び長孔６９Ｂは、長孔６１Ｂよりも背面側の位置に形成している。長孔６８Ｂ及び長孔６９Ｂは、前面側端部よりも後方側端部をノズルカバー１０の中心側に配置して形成している。また、長孔６９Ｂは、長孔６８Ｂよりも更に背面側の位置に形成している。長孔６８Ｂと長孔６９Ｂとは、所定間隔空けて平行に設けている。
【００３０】
ここで、長孔６８Ａ、長孔６９Ａ、長孔６８Ｂ、及び長孔６９Ｂは、第２のノズル部を
構成する。
【００３１】
また、ノズルカバー１０には、感度センサ２２を設けている。
【００３２】
また、長孔の代わりの円孔を用いると、円孔はノズルカバー１０を強度アップできかつ、吹出し気流が広がるため、乾燥の範囲を更に広げることができる。
【００３３】
次に、図６から図９を用いて本実施例による手乾燥空間の下部に配設されている外縁部ノズル４について説明する。図６は前面と側面に長孔形状を有した外縁部ノズルの配置図、図７は前面と側面に円孔形状を有した外縁部ノズルの配置図である。図６に示すように、長孔ノズル４Ａ及び４Ｂは、所定間隔空けて乾燥室の縁に沿うように設けている。長孔ノズル４Ａは乾燥室１の前面９に設けており、長孔ノズル４Ｂは乾燥室１の両側面８に設置されている。
【００３４】
上記構成において、手を挿入すると、感度センサー２２が検知し、乾燥室１の下部に設けたファンモータ１１が運転し、ノズルカバー側通風路１２および外縁部ノズル側通風路１３に風を供給する。ノズルカバー側通風路１２に供給された風は、ノズルカバー１０から乾燥室１へ向けて吹きつける。つまり、挿入した手に対して上から下へ風を吹き付けている。
【００３５】
一方、外縁部ノズル側通風路１３に供給された風は、乾燥室１の両側面８と前面９に設けた長孔ノズル４Ａから奥の面７およびノズルカバー１０の下面に向かって吹き出し、手の下から上に風を吹き付けている。また、長孔４Ｂからの風は互いに向き合う方向へ吹き出している。
【００３６】
これにより、長孔ノズル４Ａと長孔ノズル４Ｂは手全体を囲むような方向になるので、手の平又は手の甲に風圧を受けやすく、一度の手の抜き差しで手のひらと手の甲を同時に乾燥させることができるので乾燥時間を短くすることができる。また、長孔ノズル４Ａは、手挿入方向に対して垂直な方向に形成しているので、手の挿入動作によって水切り効果を生じるとともに、長孔ノズル４Ｂは、手の側面の乾燥効果を高めることができる。
【００３７】
また、側面側の長孔ノズル４Ｂの役割は、手もみをする際に、上からだけでなく、手の甲にも側面側の長孔ノズル４Ｂから風が当てることができるので、手の甲の水滴も同時に吹き飛ばすことができるので、合わせて乾燥時間を短縮することができる。
【００３８】
なお、図７のように長孔ノズル４Ａおよび長孔ノズル４Ｂは、円孔ノズル４Ｃおよび４Ｄとしてもよい。手を挿入する部分を囲むようにノズルを配置しているので、手の全面に風があたり乾燥時間が短くできる。
【００３９】
このため、乾燥空間が広く、手を自在に動かすことができると共に、上部と縁面の多方向から風を吹き付け手の平又は手の甲部分の全体に風を受けることができ、手に付着した水滴を全方向からの気流で一気に吹き飛ばして水切りをおこなうことができる。これより、上方向のからの吹出しにより手の甲を乾燥した後、手を反転して手の裏を乾燥し、手もみをして全体を乾燥させる乾燥方式に比べ、手を挿入して手の甲と平を同時に乾燥した後に手もみをして全体乾燥させる乾燥方式に変更したことにより、乾燥時間の短縮化を図ることが可能になった。
【００４０】
（実施例２）
図８は前面に長孔形状を有した外縁部ノズルの配置図であり、実施例２は実施例１に対して図８に示すように、乾燥室１の両側面８にはノズルを設けず、前面９のみに縁に沿う
ようにノズルを設けたものである。したがって、実施例１と同じ部分については同一の符号を用い、それらについての説明を省略する。
【００４１】
これにより、長孔ノズル４Ｅは乾燥室１の手前側の前面９のみに設置しているため手の平又は手の甲に集中的に風を当てることができる。また、両側面８からの吹き出しがないため、手に当たった風をから乾燥室１の側面上方外へスムーズに排出させることができる。また、顔などに感じる吹きかえりがなくなると共に不規則な空気の流出によって生じる騒音を防止することができる。
【００４２】
（実施例３）
図９は前面に長孔形状かつ側面に円孔形状を有した外縁部ノズルの配置図であり、実施例３は実施例１に対して図９に示すように、乾燥室１の両側面８に設けた長孔ノズル４Ｂの代わりに円孔ノズル４Ｇを設け、長孔と円孔を組み合わせたものである。したがって、実施例１と同じ部分については同一の符号を用い、それらについての説明を省略する。
【００４３】
それぞれの円孔ノズル４Ｇは間隔をもって設置されているので、手前側の長孔ノズル４Ｆからの吹出し風によって手に当たった風を１つの円孔ノズルともう１つの円孔ノズルの間の空間から乾燥室の上方の外へスムーズに排出させることができる。これにより顔などに感じる吹きかえりがなくなるとともに不規則な空気の流出によって生じる騒音を防止することができる。また、円孔ノズル４Ｇは、手の側面の乾燥効果を高めることができる。
【００４４】
（実施例４）
図１０から図１３を用いて実施例４による手乾燥装置の外縁部ノズルの形状について説明する。
【００４５】
図１０は本発明の一実施例による手乾燥装置の外縁部ノズルの上面図、図１１は段差を有する外縁部ノズルの側断面図、図１２は突起板を有する外縁部ノズルの側断面図、図１３は溝を有する外縁部ノズルの側断面図である。図１０に示すように、外縁部ノズル４の吹き出し面４０は、縁に沿って乾燥空間側を向いて設置されている。そして図１１には、乾燥室１の両側面８と前面９に、外縁部ノズル４の吹き出し面４０が設けられ、吹き出し面４０は、乾燥室１の内壁面４１より飛び出して構成され、段差４２を有している。
【００４６】
これにより、乾燥室１内に落下した水滴がノズルカバー１０から吹き出され手に当たった風により、内壁を駆け上がる水滴を遮蔽するため、乾燥室１外への水滴の飛散を防止できる。また、段差構成にすることに本体と一体感を持たせた形状とすることができる。
【００４７】
また、図１２には、吹き出し面４０と乾燥室１の内壁面４１との間に突起板４３を設け、内壁を駆け上がる水滴を遮蔽するため、乾燥室１外への水滴の飛散を防止できる。この場合には、突起物の形状による壁面のデザイン効果をだすことができる。
【００４８】
また、図１３には、吹き出し面４０と内壁面４１の間に、複数の凹形の水切り溝４４を設けている。これにより、乾燥室１内に落下した水滴がノズルカバー１０から吹き出され手に当たった内壁を駆け上がる風を、断続的な凹形の水切り溝４４により脈動を生じさせることにより、駆け上がる水滴を落下させ乾燥室１外への水滴の飛散を防止できる。
【００４９】
合わせて、内壁に付着した水滴が、外縁部ノズル４の吹出し風に誘引され、乾燥した手に再び付着することも防ぐことができる。なお、これらの段差は、乾燥室１の両側面８および前面９に設けられているが、前面９のみに設けてもよい。
【産業上の利用可能性】
【００５０】
本発明の手乾燥装置は、病院の手術室や調理場においても利用可能である。
【図面の簡単な説明】
【００５１】
【図１】本発明の一実施例による手乾燥装置の斜視図
【図２】同装置の正面図
【図３】同装置の側面図
【図４】同装置の側断面図
【図５】ノズルカバー下面図
【図６】前面と側面に長孔形状を有した外縁部ノズルの配置図
【図７】前面と側面に円孔形状を有した外縁部ノズルの配置図
【図８】前面に長孔形状を有した外縁部ノズルの配置図
【図９】前面に長孔形状かつ側面に円孔形状を有した外縁部ノズルの配置図
【図１０】外縁部ノズルの上面図
【図１１】段差を有する外縁部ノズルの側断面図
【図１２】遮蔽板を有する外縁部ノズルの側断面図
【図１３】溝を有する外縁部ノズルの側断面図
【符号の説明】
【００５２】
１    乾燥室
２    外縁部
３    開口部
４    外縁部ノズル
５    排出口
６    （乾燥室）底面
７    （乾燥室）奥の面
８    （乾燥室）両側面
９    前面
１０  ノズルカバー
１１  ファンモータ
１２  ノズルカバー側通風路
１３  外縁部ノズル側通風路
１４  ヒーター
１５  空気導入通路
３０  （開口部下の）凹状の空間
３１  （外縁部ノズルとノズルカバー間の）空間
４０  吹き出し面
４１  （乾燥室の）内壁面
４２  段差
４３  突起板
４４  水切り溝
６０  ノズルカバー吹出し部
【図１】
2006263152.tif 000003
【図２】
2006263152.tif 000004
【図３】
2006263152.tif 000005
【図４】
2006263152.tif 000006
【図５】
2006263152.tif 000007
【図６】
2006263152.tif 000008
【図７】
2006263152.tif 000009
【図８】
2006263152.tif 000010
【図９】
2006263152.tif 000011
【図１０】
2006263152.tif 000012
【図１１】
2006263152.tif 000013
【図１２】
2006263152.tif 000014
【図１３】
2006263152.tif 000015